(57)【要約】    【課題】  データ書き込みが中断された場合でもデータを途切らせることなくスムーズ且つ迅速にデータ書き込みを継続可能である情報記録再生装置、方法及びプログラムを提供する。    【解決手段】  ＣＤプレーヤ２には、ＴＯＣ情報記録部１１とＣＤ判別部１２とが設けられている。記録制御部８には装置１の主電源系統をオフにする時又はＣＤを排出する時にはハードディスク７へのデータ書き込みを中断するように構成されている。また、記録制御部８には中断以前にハードディスク７に書き込んだデータを仮の１トラックとして一時的に保存する仮トラック保存部９及びデータ書き込みが中断した位置を示すサブコードの記録部１０が設けられている。【選択図】  図１
2005293669.tif 000002
【特許請求の範囲】
【請求項１】
データが記録されたディスクを挿脱自在に収納して前記ディスクの再生を制御する再生制御部と、前記ディスクのデータを書き込み可能で且つデータの書き換えが可能な記録媒体と、前記記録媒体に対するデータの読み書きを制御する記録制御部とが設けられた情報記録再生装置において、
前記記録媒体へのデータ書き込みを中断する際、中断以前に前記記録媒体に書き込んだデータを仮データとして一時的に保存する仮データ保存手段と、
前記記録媒体へのデータ書き込みを中断する際、書き込みが中断した位置情報を記録する中断位置情報記録手段と、
前記ディスクのＴＯＣ情報を記録するＴＯＣ情報記録手段と、
当該情報記録再生装置の主電源系統をオンにする時又は前記ディスクを挿入する時、前記ＴＯＣ情報に従って当該装置内に挿入されているディスクがデータ書き込みを中断した際のディスクと同一であるかどうかを判別し、両者が同一であれば前記再生制御部に対して同一ディスク信号を出力するディスク判別手段とが具備され、
前記再生制御部は、前記ディスク判別手段から同一ディスク信号を受けると前記中断位置情報に基づいてディスク再生を再開させるように構成されており、
さらに、前記記録制御部は、当該情報記録再生装置の主電源系統をオフにする時又は前記ディスクを排出する時には前記記録媒体へのデータ書き込みを中断し、且つ前記再生制御部が前記中断位置情報に基づいてディスク再生を再開させる時、途中より再生を開始した前記ディスクからのデータと一時的に保存した前記仮データとの一致を確認してデータの接続を行うように構成されていることを特徴とする情報記録再生装置。
【請求項２】
データが記録されたディスクを挿入してその再生を制御する再生制御ステップと、データの書き込み及び書き換えが可能な記録媒体に対してデータの読み書きを制御する記録制御ステップとを含んだ情報記録再生方法において、
主電源系統をオフにする時又は前記ディスクを排出する時、前記記録媒体へのデータ書き込みを中断する書き込み中断ステップと、
前記記録媒体へのデータ書き込みを中断する際、中断以前に前記記録媒体に書き込んだデータを仮の書き込みデータとして一時的に保存する仮データ保存ステップと、
前記記録媒体へのデータの書き込みを中断する際、書き込みが中断した位置の情報を記録する中断位置情報記録ステップと、
前記ディスクのＴＯＣ情報を記録するＴＯＣ情報記録ステップと、
主電源系統をオンにする時又は前記ディスクを挿入する時、前記ＴＯＣ情報に従って、挿入されているディスクがデータ書き込みを中断した際のディスクと同一であるかどうかを判別するディスク判別ステップと、
前記ディスク判別ステップにて同一のディスクであると判別した場合、前記中断位置情報に基づいてディスク再生を再開させる再生再開ステップと、
途中より再生を開始した前記ディスクからのデータと一時的に保存した前記仮データとの一致を確認してデータを接続するデータ接続ステップとを含むことを特徴とする情報記録再生方法。
【請求項３】
コンピュータを利用して、データが記録されたディスクを挿入してその再生を制御し、データの書き込み及び書き換えが可能な記録媒体に対するデータの読み書きを制御するための情報記録再生プログラムにおいて、
主電源系統をオフにする時又は前記ディスクを排出する時、前記記録媒体へのデータ書き込みを中断する書き込み中断機能と、
前記記録媒体へのデータ書き込みを中断する際、中断以前に前記記録媒体に書き込んだデータを仮の書き込みデータとして一時的に保存する仮データ保存機能と、
前記記録媒体へのデータの書き込みを中断する際、書き込みが中断した位置の情報を記録する中断位置情報記録機能と、
前記ディスクのＴＯＣ情報を記録するＴＯＣ情報記録機能と、
主電源系統をオンにする時又は前記ディスクを挿入する時、前記ＴＯＣ情報に従って、挿入されているディスクがデータ書き込みを中断した際のディスクと同一であるかどうかを判別するディスク判別機能と、
前記ディスク判別ステップにて同一のディスクであると判別した場合、前記中断位置情報に基づいてディスク再生を再開させる再生再開機能と、
途中より再生を開始した前記ディスクからのデータと一時的に保存した前記仮データとの一致を確認してデータを接続するデータ接続機能とを、
コンピュータに実現させることを特徴とする情報記録再生プログラム。
【発明の詳細な説明】
【技術分野】
【０００１】
本発明は、ディスク上のデータを記録媒体側に書き込む情報記録再生技術に係り、特に、いったん中断したデータ書き込みをスムーズに継続させることが可能な情報記録再生装置、方法及びプログラムに関するものである。
【背景技術】
【０００２】
近年、車載用の情報記録再生装置として、ＣＤプレーヤを一体的に備えたハードディスク装置が知られている。この装置ではＣＤプレーヤで再生した曲を順次ハードディスク内に録音しておいて、その後はＣＤプレーヤ内にＣＤをわざわざ挿入しなくともハードディスク側に録音した曲を再生することができるようになっている。このようなハードディスク装置によれば、面倒なＣＤの交換作業を行うことなく、長時間連続してオーディオデータの再生が可能である。なお、ＣＤプレーヤに挿入するＣＤの種類としては、デジタルオーディオ形式で曲を記録したＣＤ−ＤＡや、ＭＰ３などの圧縮形式で曲を記録したディスクが使用される。
【０００３】
この種のハードディスク装置では通常、ＣＤのオーディオデータを１トラック単位でハードディスク側に書き込んでいる。しかし、あるトラックのデータ書き込み中に、ＡＣＣ電源をオフにする、あるいは再生中のＣＤを装置から抜くといったことを行うと、ハードディスクへのデータ書き込みは中断される。データ書き込みの継続は、ＡＣＣ電源を再度オンにする、あるいは同じＣＤを再挿入して再生することで可能であるが、この場合はデータが途切れることのないように、まず中断以前に書き込んであったデータのうち、書き込みが中断したトラックを1つ分全て削除し、トラックの先頭からもう一度、書き込みをやり直すようになっている。
【特許文献１】特開２００１−１４３３６９号公報
【発明の開示】
【発明が解決しようとする課題】
【０００４】
ところで、従来の情報記録再生装置では、装置のＡＣＣ電源をオフにしたり、ＣＤを抜いたりすると、それまでの指令は全てクリアされてしまうことがある。したがって、データ書き込みが中断された場合、中断前にユーザが入力したデータ書き込み指令は無効となり、データ書き込みを継続するにあたって、改めて操作し直すことが要求された。
【０００５】
また、データ書き込み指令がバックアップされていたにせよ、書き込みが中断すると、書き込み途中のトラックを全て破棄している。このため、１トラック分は同じ部分を書き込まなくてはならず、２重の書き込み時間が生じて処理時間を長期化させる要因となっていた。このようなデータ書き込み時の中断に伴う不具合に関しては、中断自体がユーザの意図しない場合であることが多い。このため、操作感が低い印象を持たれ易く、その改良が待たれていた。
【０００６】
本発明は、このような課題を解決するために提案されたものであり、その目的は、データ書き込みが中断された場合でもデータを途切らせることなくスムーズ且つ迅速にデータ書き込みを継続可能である情報記録再生装置、方法及びプログラムを提供することである。
【課題を解決するための手段】
【０００７】
上記目的を達成するために、請求項１の発明は、データが記録されたディスクを挿脱自在に収納して前記ディスクの再生を制御する再生制御部と、前記ディスクのデータを書き込み可能で且つデータの書き換えが可能な記録媒体と、前記記録媒体に対するデータの読み書きを制御する記録制御部とが設けられた情報記録再生装置において、前記記録媒体へのデータ書き込みを中断する際、中断以前に前記記録媒体に書き込んだデータを仮データとして一時的に保存する仮データ保存手段と、前記記録媒体へのデータ書き込みを中断する際、書き込みが中断した位置情報を記録する中断位置情報記録手段と、前記ディスクのＴＯＣ情報を記録するＴＯＣ情報記録手段と、当該情報記録再生装置の主電源系統をオンにする時又は前記ディスクを挿入する時、前記ＴＯＣ情報に従って当該装置内に挿入されているディスクがデータ書き込みを中断した際のディスクと同一であるかどうかを判別し、両者が同一であれば前記再生制御部に対して同一ディスク信号を出力するディスク判別手段とが具備され、前記再生制御部は、前記ディスク判別手段から同一ディスク信号を受けると前記中断位置情報に基づいてディスク再生を再開させるように構成されており、さらに、前記記録制御部は、当該情報記録再生装置の主電源系統をオフにする時又は前記ディスクを排出する時には前記記録媒体へのデータ書き込みを中断し、且つ前記再生制御部が前記中断位置情報に基づいてディスク再生を再開させる時、途中より再生を開始した前記ディスクからのデータと一時的に保存した前記仮データとの一致を確認してデータを接続するように構成されていることを特徴としている。
【０００８】
請求項２の発明は、請求項１記載の発明を方法の観点からとらえたものであり、データが記録されたディスクを挿入してその再生を制御する再生制御ステップと、データの書き込み及び書き換えが可能な記録媒体に対してデータの読み書きを制御する記録制御ステップとを含んだ情報記録再生方法において、主電源系統をオフにする時又は前記ディスクを排出する時、前記記録媒体へのデータ書き込みを中断する書き込み中断ステップと、前記記録媒体へのデータ書き込みを中断する際、中断以前に前記記録媒体に書き込んだデータを仮の書き込みデータとして一時的に保存する仮データ保存ステップと、前記記録媒体へのデータの書き込みを中断する際、書き込みが中断した位置の情報を記録する中断位置情報記録ステップと、前記ディスクのＴＯＣ情報を記録するＴＯＣ情報記録ステップと、主電源系統をオンにする時又は前記ディスクを挿入する時、前記ＴＯＣ情報に従って、挿入されているディスクがデータ書き込みを中断した際のディスクと同一であるかどうかを判別するディスク判別ステップと、前記ディスク判別ステップにて同一のディスクであると判別した場合、前記中断位置情報に基づいてディスク再生を再開させる再生再開ステップと、途中より再生を開始した前記ディスクからのデータと一時的に保存した前記仮データとの一致を確認してデータを接続するデータ接続ステップとを含むことを特徴とする。
【０００９】
請求項３の発明は、請求項１記載の発明をプログラムの観点からとらえたものであり、コンピュータを利用して、データが記録されたディスクを挿入してその再生を制御し、データの書き込み及び書き換えが可能な記録媒体に対するデータの読み書きを制御するための情報記録再生プログラムにおいて、主電源系統をオフにする時又は前記ディスクを排出する時、前記記録媒体へのデータ書き込みを中断する書き込み中断機能と、前記記録媒体へのデータ書き込みを中断する際、中断以前に前記記録媒体に書き込んだデータを仮の書き込みデータとして一時的に保存する仮データ保存機能と、前記記録媒体へのデータの書き込みを中断する際、書き込みが中断した位置の情報を記録する中断位置情報記録機能と、前記ディスクのＴＯＣ情報を記録するＴＯＣ情報記録機能と、主電源系統をオンにする時又は前記ディスクを挿入する時、前記ＴＯＣ情報に従って、挿入されているディスクがデータ書き込みを中断した際のディスクと同一であるかどうかを判別するディスク判別機能と、前記ディスク判別ステップにて同一のディスクであると判別した場合、前記中断位置情報に基づいてディスク再生を再開させる再生再開機能と、途中より再生を開始した前記ディスクからのデータと一時的に保存した前記仮データとの一致を確認してデータを接続するデータ接続機能とを、コンピュータに実現させることを特徴としている。
【００１０】
以上のような本発明では、主電源系統をオフにした時又はディスクを排出した場合に記録媒体へのデータ書き込みを中断するが、中断以前のデータを仮の書き込みデータとして一時的に保存すると同時に、書き込みが中断した位置の情報を及びディスクのＴＯＣ情報を記録しておくことで、スムーズ且つ迅速にデータ書き込みの継続が可能となる。
【００１１】
すなわち、主電源系統をオンにした時又はディスクを挿入した時、中断時に記録したＴＯＣ情報に従って、挿入されているディスクがデータ書き込みを中断したディスクと同一であるかどうかを判別する。この時、挿入されているディスクが、データ書き込み中断時のディスクと同一であると判別した場合には、中断時に記録した中断位置情報に基づいて、中断した時点からディスク再生を再開し、途中より再生を開始したディスクからのデータと一時的に保存した仮データとの一致を確認した上でデータを接続する。これにより、スムーズで迅速なデータ書き込みの継続を実現することができる。
【発明の効果】
【００１２】
上述したように本発明の情報記録再生装置、方法及びプログラムによれば、データ書き込みが中断された場合でも、主電源系統をオンにする、あるいはディスクを再挿入するだけで、書き込みが中断した部分からデータ書き込みを継続でき、優れた使用感を得ることが可能である。
【発明を実施するための最良の形態】
【００１３】
次に、本発明を実施するための最良の形態(以下「実施形態」と呼ぶ)について図面を参照して具体的に説明する。なお、本実施形態は周辺機器を備えたコンピュータをプログラムで制御することで実現しており、この場合のハードウェアやプログラムの実現態様は適宜変更可能である。また、本発明は情報記録再生装置とその方法に加えて、プログラムそのもの、あるいはプログラムを記録したコンピュータで読み取り可能な記録媒体としても把握できる。したがって、本発明及び本実施形態の各機能を実現するものとして仮想的な機能ブロック図を用いて説明する。
【００１４】
〔１.構成〕
本実施形態は車載用のハードディスクナビゲーション装置１に適用される。この装置は、ＣＤプレーヤ２で再生したオーディオデータをハードディスク７内に書き込んで録音し、ハードディスク７に録音したオーディオデータを再生するもので、図１の機能ブロック図に示す各要素を具備している。
【００１５】
すなわち、音楽再生用のＣＤプレーヤ２が一体的に設置されており、ここにはピックアップやサーボモータなどを含む機構部４と、これら機構部４を制御する再生制御部５とが設けられている。さらに、ＣＤプレーヤ２には、ＴＯＣ情報記録部１１とＣＤ判別部１２とが設けられている。
【００１６】
ＴＯＣ情報記録部１１はＣＤプレーヤ２からＣＤが排出される時、このＣＤのＴＯＣ情報を記録するようになっている。また、ＣＤ判別部１２はＣＤプレーヤ２内のＣＤがいったん排出された後、再び挿入される場合に働くようになっており、新たに挿入したＣＤがデータ書き込みを中断した際のＣＤと同一であるかどうかを前記ＴＯＣ情報によって判別するものである。そして、両者が同一であれば再生制御部５に対して同一ディスク信号を出力し、両者が非同一であれば記録制御部８(後段で詳述する)に対して非同一ディスク信号を出力するようになっている。
【００１７】
再生制御部５はＣＤから読み出されたオーディオデータを増幅してスピーカ６に出力し、ハードディスク７に対してＣＤのオーディオデータを書き込むようになっている。また、再生制御部５はＣＤ判別部１２から前記同一ディスク信号を受けた場合に後述するサブコード記録部１０からサブコードを取得しこれに基づいてＣＤ再生を再開させるように構成されている。さらに再生制御部５は、再生中のＣＤを排出しないまま装置１の主電源系統をオフにし、その後再びオンとした場合にも、サブコード記録部１０からサブコードを取得しこれに基づいてＣＤ再生を再開させるようになっている。
【００１８】
記録装置３側にはハードディスク７と記録制御部８が設けられている。ハードディスク７はＣＤプレーヤ２で再生したオーディオデータを書き込み可能で且つデータの書き換え可能な記録媒体である。このハードディスク７にはナビゲーションプログラムや、各種の地点情報を含む道路地図データが格納されると共に、ＣＤプレーヤ２からのオーディオデータを記録するための記録領域が形成されている。
【００１９】
記録制御部８は、ハードディスク７に対するデータの読み書きを制御するメモリコントローラ８ａと、ＣＤプレーヤ２側から入力されたオーディオデータを圧縮データに変換するエンコーダ部８ｂと、ハードディスク７から読み出したデータを展開するデコーダ部８ｃとを有しており、展開したデータをスピーカ６に出力するようになっている。
【００２０】
記録制御部８にはハードディスクナビゲーション装置１の主電源系統をオフにする時又はＣＤプレーヤ２からＣＤを排出する時にはハードディスク７へのデータ書き込みを中断するように構成されている。また、記録制御部８には仮トラック保存部９及びサブコード記録部１０が設けられている。仮トラック保存部９は、ハードディスク７へのデータ書き込みを中断する際、中断以前にハードディスク７に書き込んだデータを仮の１トラックとして一時的に保存する手段である。また、サブコード記録部１０は、ハードディスク７へのデータ書き込みが中断した位置を示す情報として、分、秒あるいはフレームといったサブコードを記録する手段である。
【００２１】
さらに、記録制御部８は、サブコード記録部１０からのサブコードに基づいて前記再生制御部５がディスク再生を再開させる時、途中より再生を開始したＣＤからのオーディオデータと、仮トラック保存部９に一時保存した仮トラックのオーディオデータの一致を確認した上でトラックの接続を行うようになっている。この時、接続したオーディオデータはトラック録音終了後、仮の１トラックとして一時保存されたトラック上に上書きされる。また、記録制御部８がＣＤ判別部１２から非同一ディスク信号を受けた場合、記録制御部８は仮トラック保存部９に保存された仮の１トラックを消去するようになっている。
【００２２】
ところで、ハードディスクナビゲーション装置１にはバッテリ１３が設置されており、バッテリ１３から主電源系統とバックアップ系統との二系統の電源電力が供給されている。バックアップ系統は主電源系統をオフとする時に用いられており、書き込みデータの中断に際しての仮トラック保存部９及びサブコード記録部１０の各処理は、主電源系統がオフであれば当然バックアップ系統からの電力供給により行われる。
【００２３】
〔２.作用〕
続いて、本実施形態において、ＣＤプレーヤ２からハードディスク７にオーディオデータを書き込んで録音する際、主電源系統のオフ操作やＣＤ排出により録音の中断が生じた場合について、図２のフローチャートを用いて説明する。
【００２４】
まず、ユーザがオーディオ操作キーである「録音」キーを操作することにより現在再生しているＣＤにてトラック単位もしくはディスク単位で録音を開始し(ステップ１)、録音が終了したかどうかを確認した後（ステップ２）、録音を終了する。なお、ユーザが「録音停止」キーを操作すればデータ書き込みを停止でき、データ書き込みが全て完了したトラックまで「録音」が終了することになる。
【００２５】
録音が終了していない状態（ステップ２のＮＯ）で、イグニッションをオフとした場合（ステップ３のＹＥＳ）、主電源系統はオフとなってＣＤ再生は停止し、ハードディスク７へのデータ書き込みを中断する(ステップ４)。この時、仮トラック保存部９は中断以前にハードディスク７に書き込んだデータを仮の１トラックとして一時的に保存する(ステップ５)。また、サブコード記録部１０は書き込みが中断した時点のサブコードを記録する(ステップ６)。なお、主電源系統のオフに伴い、仮トラック保存部９及びサブコード記録部１０はバックアップ電源系統からの電力供給を受けており、ステップ６、７の処理はバックアップ電源からの電力供給によって実施される。
【００２６】
また、イグニッションをオフとしなくても（ステップ５のＮＯ）、ＣＤプレーヤ２からＣＤを排出した場合には（ステップ７のＹＥＳ）、ＣＤ再生は停止し、ハードディスク７へのデータ書き込みを中断する(ステップ８)。この時も、仮トラック保存部９は中断以前にハードディスク７に書き込んだデータを仮の１トラックとして一時的に保存し(ステップ９)、サブコード記録部１０は書き込みが中断した時点のサブコードを記録する(ステップ１０)。さらに、ＣＤプレーヤ２からＣＤを排出した場合は、このＣＤのＴＯＣ情報をＴＯＣ情報記録部１１が記録する(ステップ１１)。なお、ＣＤプレーヤ２からＣＤを排出しなかった場合には（ステップ７のＮＯ）、ステップ２の前まで戻り、録音を終了したかどうかを確認する。
【００２７】
イグニッションをオフにした状態から再びイグニッションをオンにすると（ステップ１２のＹＥＳ）、主電源系統はオンになって再生制御部５はサブコード記録部１０からサブコードを取得し、これに基づいてＣＤ再生を再開し（ステップ１３）、記録制御部８はサブコードからハードディスク７へのデータ書き込みを再開する（ステップ１４）。
【００２８】
また、ＣＤプレーヤ２からいったんＣＤを排出した後、再度ＣＤを挿入すると（ステップ１５のＹＥＳ）、排出されたＣＤについてのＴＯＣ情報を、ＣＤ判別部１２がＴＯＣ情報記録部１１から受け取り、このＴＯＣ情報に基づいてＣＤの判別を行う。すなわち挿入したＣＤが、いったん排出したＣＤつまりデータ書き込みを中断した際のＣＤと同一であるかどうかを確認する（ステップ１６）。
【００２９】
挿入したＣＤが排出したものと同一でなければ（ステップ１６のＮＯ）、ＣＤ判別部１２は記録制御部８に非同一ディスク信号を出力する。この信号を入力した記録制御部８は仮トラック保存部９に保存された仮の１トラックを自動的に消去する（ステップ１７）して、録音処理を終了する。
【００３０】
一方、挿入したＣＤが排出したものと同一であれば、ＣＤ判別部１２は再生制御部５に同一ディスク信号を出力する。この信号を入力した再生制御部５はサブコード記録部１０からサブコードを取得し、これに基づいてＣＤ再生を再開し（ステップ１３）、記録制御部８はサブコードからハードディスク７へのデータ書き込みを再開する（ステップ１４）。
【００３１】
記録制御部８はサブコードからデータ書き込みを再開することで、仮トラック保存部９に一時保存した仮の１トラックの録音が継続される。録音の継続では、途中より再生を開始したＣＤからのオーディオデータと、仮トラック保存部９に一時保存した仮の１トラックのオーディオデータとの一致を確認し、トラックの接続を行う。前述したように、接続したオーディオデータはトラック録音終了後、仮の１トラックとして一時保存されたトラック上に上書きされる。
【００３２】
〔３.効果〕
上述した本実施形態によれば、主電源系統のオフやＣＤ排出によってデータの書き込みが中断されたとしても、操作のやり直しが不要であるのはもちろんのこと、書き込みを中断した時点のデータが持つサブコードを把握しているので、データ書き込みの再開ポイントを正確に判断することができる。したがって、従来のように同一データを重複して書き込むことがなく、書き込み時間の短縮化に寄与することができ、快適ですばやいデータ書き込み処理を実現することができる。
【００３３】
また、ＣＤのＴＯＣ情報を記録しておくことで、いったんＣＤが排出後、新たに挿入されたＣＤに関して、このＣＤが書き込み中断時と同一のものかどうかを簡単に確認可能である。これにより、データ書き込みを継続させるのか、新たなディスク再生を行うのかといった処理を自動的に実施することができる。このため、ユーザに煩わしさを与えることがなく、使用感が向上する。
【００３４】
〔４.他の実施形態〕
本発明は上記の実施形態に限定されるものではなく、本発明に使用される記録媒体としてはハードディスクに限らず大容量半導体メモリなども含まれており、記録フォーマットとしてはｍｐ３、ｗｍａ、ａｖｉ、ｍｐｅｇ１、ｍｐｅｇ２、ｍｐｅｇ４、ＤＶなどの各種フォーマットを採用可能である。なお、本発明は車載用装置に好適ではあるが、これに限らず家庭用や携帯用の情報記録再生装置などにも広く適用可能である。
【００３５】
また、図２のフローチャートは処理の一例であり、適宜変更可能である。例えば、ステップ１６において挿入したＣＤが排出したものと同一でない場合に、仮トラック保存部９の仮の１トラックを自動的に消去するのではなく、ユーザに問い合わせた後、これを消去するようにしても良い。なお、上記の実施形態ではＣＤが挿入されたままで排出された形跡がない場合にはＣＤ判別を行わない設定にしているが、ハードディスクナビゲーション装置１の主電源系統をオンにするたびにＣＤ判別部１２にてＣＤの判別を行うように設定してもよい。
【図面の簡単な説明】
【００３６】
【図１】本発明の実施形態の構成を示す機能ブロック図。
【図２】本発明の実施の形態における処理手順を示すフローチャート。
【符号の説明】
【００３７】
１…ハードディスクナビゲーション装置
２…ＣＤプレーヤ
３…記録装置
４…機構部
５…再生制御部
６…スピーカ
７…ハードディスク
８…記録制御部
８ａ…メモリコントローラ
８ｂ…エンコーダ部
８ｃ…デコーダ部
９…仮トラック保存部
１０…サブコード記録部
１１…ＴＯＣ情報記録部
１２…ＣＤ判別部
【図１】
2005293669.tif 000003
【図２】
2005293669.tif 000004